(57)【要約】【構成】  墓石の表面に有底穴を開けるとともにこの有底穴の底面に写真を設置し、この有底穴の開口部に蓋体を着脱可能に設置した墓石用写真表示装置である。【効果】  蓋を外したときにのみ、前記写真を見ることができ、写真が常時不特定多数のものに晒されることはない。遺族の立場としては、故人（死んだペット）の尊厳が維持され、安心してお祀りすることができるものであり、また、第三者としては、従来のように、見知らぬ死者に囲まれているかの如く思うことは無く、落ちついて墓参りができるものである。【選択図】  図３
2005344312.tif 000002
【特許請求の範囲】
【請求項１】
墓石の表面に有底穴を開けるとともにこの有底穴の底面に写真を設置し、この有底穴の開口部に蓋体を着脱可能に設置したことを特徴とする墓石用写真表示装置。
【請求項２】
請求項１の墓石用写真表示装置において、前記蓋体は前記墓石の表面と面一であることを特徴とする墓石用写真表示装置。
【請求項３】
請求項２の墓石用写真表示装置において、前記有底穴に、少なくとも底部が透明な有底筒をその底部が奥になるように略隙間無く内嵌めし、且つ、この有底筒の底部の奥側に写真を重ねたことを特徴とする墓石用写真表示装置。
【請求項４】
請求項３の墓石用写真表示装置において、前記写真の下側に保護ケースを重ね、前記有底筒に着脱可能に固定したことを特徴とする墓石用写真表示装置。
【請求項５】
請求項１の墓石用写真表示装置において、前記有底穴は、前記墓石の表面に枠部材を載置し、その枠部材の内側を掘削することによって形成されることを特徴とする墓石用写真表示装置。
【発明の詳細な説明】
【技術分野】
【０００１】
この発明は墓石用写真表示装置に関し、墓石の表面に人間やペット等の写真（顔写真）を表示する場合に使用される。
【背景技術】
【０００２】
従来におけるこの種の表示装置としては、墓石の表面に有底穴を開け、この有底穴に、写真を収容した透明ブロック体を略隙間無く収容し、この透明ブロック体の上面を前記有底穴から露出させたものが存在し、人々は、外部から前記透明ブロック体を通して前記写真を鮮明に透視するができるものである。
【０００３】
【特許文献１】特開２００２−１７４０５２
【発明の開示】
【発明が解決しようとする課題】
【０００４】
しかしながら、かかる従来の墓石用写真表示装置においては、前記透明ブロック体が外部に露出して、写真が常時不特定多数のものに晒されるため、遺族の立場としては、故人（死んだペット）が軽視されているかのごとく思われ、安心して故人をお祀りすることができないという不都合を有し、また、第三者としては、見知らぬ死者に囲まれているかの如く思われ、落ちついて墓参りができないという不都合を有した。
【０００５】
この発明の課題はこれらの不都合を解消することである。
【課題を解決するための手段】
【０００６】
前記課題を達成するために、この発明に係る墓石用写真表示装置においては、墓石の表面に有底穴を開けるとともにこの有底穴の底面に写真を設置し、この穴有底の開口部に蓋体を着脱可能に設置したものである。
【０００７】
なお、前記蓋体を前記墓石の表面と面一にすることもできる。
【０００８】
なお、前記有底穴に、少なくとも底部が透明な有底筒をその底部が奥になるように略隙間無く内嵌めし、この有底筒の底部の奥側に写真を重ねることもできる。
【０００９】
この場合、前記写真の下側に保護ケースを重ね、前記有底筒に着脱可能に固定することもできる。
【００１０】
また、前記有底穴を、前記墓石の表面に枠部材を載置し、その枠部材の内側を掘削  することによって形成することもできる。
【発明の効果】
【００１１】
この発明に係る墓石用写真表示装置は、墓石の表面に有底穴を開けるとともにこの有底穴の底面に写真を設置し、この有底穴の開口部に蓋体を着脱可能に設置したため、
蓋を外したときにのみ、前記写真を見ることができ、写真が常時不特定多数のものに晒されることはないものである。
【００１２】
よって、この墓石用写真表示装置を使用すれば、遺族の立場としては、故人（死んだペット）の尊厳が維持され、安心してお祀りすることができるものであり、また、第三者としては、従来のように、見知らぬ死者に囲まれているかの如く思うことは無く、落ちついて墓参りができるものである。
【００１３】
なお、前記蓋体を前記墓石の表面と面一にすれば、墓石の表面に突出物がなくなくなるため、かかる表示装置の存在が分かりにくい結果墓石の美観を維持することができる。
【００１４】
なお、前記有底穴に、少なくとも底部が透明な有底筒をその底部が奥になるように略隙間無く内嵌めし、この有底筒の底部の奥側に写真を重ねるようにすれば、前記有底穴の深さに対する写真の位置決めが容易になるとともに有底穴への写真の取り付けが簡易な作業でできる。
【００１５】
この場合、前記写真の下側に保護ケースを重ね、前記有底筒に着脱可能に固定すれば、写真を皺のない状態で長期にわたって保存することができる。
【００１６】
また、前記有底穴を、前記墓石の表面に枠部材を載置し、その枠部材の内側を掘削することによって形成すれば、内周縁が欠けにくい状態で、この有底穴を形成することができるものである。
【発明を実施するための最良の形態】
【００１７】
この発明は、墓石の表面に有底穴を開けるとともにこの有底穴の底面に写真を設置し、この穴有底の開口部に蓋体を着脱可能に設置する事に最も主要な特徴を有する。
【実施例】
【００１８】
以下、この発明の実施例を説明する。
図１はこの発明に係る墓石用写真表示装置の正面図、図２は図１における蓋体を外したときの正面図、図３は図１におけるIII-III 線断面図、図４は有底穴を掘削する際の説明図、図５は使用状態の図、図６は他の使用状態の図である。
【００１９】
図７において、10は墓石、11,11,…この墓石10の側面に刻印された戒名等、Ａ，Ａ，…はこの戒名11の下に形成された墓石用写真表示装置である。
【００２０】
この墓石用写真表示装置Ａを、図１〜図３に基づいて説明する。
図１〜３において、20は有底穴であり、前記墓石10の表面に形成されている。この有底穴20は円状であり、図４に示すように、環状の枠部材70を墓石10の表面に載置した状態でその内側部掘削することにより形成される。
【００２１】
21は高さ調節層であり、前記有底穴20の底面に形成されている。この高さ調節層21は接着材（合成樹脂等）等によって適宜厚さに形成され、後記蓋体60が墓石10の表面と面一になるように調節するためのものであるが、必ずしも必要としない。
【００２２】
図１〜図３において、30は有底筒であり、前記有底穴20に略隙間の無い状態で内嵌めされている。この有底筒30の上端縁は、前記墓石10の表面と面一である。また、この有底筒30の少なくとも底部31は透明である。有底筒30を全体を透明樹脂で形成することもできる。
【００２３】
Ｐは故人又は故ペットの写真であり、前記有底筒30における底部31の外側に重ねられている。このため、前記底部31を透して見ることができる。32は係止周溝であり、前記底部31の外側の周縁に形成されている。
【００２４】
次に、50は写真保護ケース（この発明の「保護ケース」に相当する）であり、この前記有底筒30における底部31の外側に重ねられ、その外周凸条51を、前記有底筒30の係止周溝32に嵌着することにより着脱可能に設置されている。この写真保護ケース50と前記有底筒30の底部31との間に前記写真Ｐを挟まれ、収容するされている。なお、この写真保護ケース50は接着材からなる前記高さ調節層21によって前記有底穴20の底面に接着固定されている。
【００２５】
なお、前記有底筒30および前記写真保護ケース50は何れも、従来から存在する合成樹脂で形成されるものである。特に、その機能上、硬質合成樹脂を使用することが望ましい。
【００２６】
次に、60は蓋体であり、前記有底筒30に、墓石10の表面と面一の状態で着脱可能に内嵌めされている。この蓋体60はゴム、エラスティック等の弾性材によって形成されているため、柔軟性を有している。また、61,61 は係止溝であり、前記蓋体60の上端および下端に形成されている。作業者はこの係止溝61,61 に指を掛けて内方向に挟むようにすれば、図３の仮想線が示すように、前記蓋体60はく字条に曲がり、有底筒30から取り外すことができる。取り付け場合には逆の作業をすればよい。62は脚部であり、前記蓋体60の裏側の周縁に沿って一体成形されている。この脚部62は前記有底筒30の底部31に達しており、前記蓋体60の表面が前記有底筒30の縁と面一になることを確保している。
【００２７】
なお、この蓋体60の表面の色彩・模様等の意匠は墓石10の表面と同じように形成すれば、かかる表示装置Ａの存在が分かりにくくなるため、墓石10の美観を維持することができる。
【００２８】
また、有底筒30と写真保護ケース50とユニット化した状態で、前記有底穴20の底面に設置することができるため設置作業がしやすいものである。
【００２９】
図６は、この墓石用写真表示装置Ａをペット用の墓石Ｂに使用したものであり、墓正面の隅部に形成されている。
【００３０】
上記した実施例では、写真Ｐを写真保護ケース50に収容して有底穴20に設置する場合を説明したが、必ずしも、写真保護ケース50に収容する必要はなく、写真をそのまま有底筒30の底に貼着することもできる。
【産業上の利用可能性】
【００３１】
常時露出されることのない状態で、墓石に、写真を設置する場合に利用できる。
【図面の簡単な説明】
【００３２】
【図１】図１はこの発明に係る墓石用写真表示装置の正面図である。
【図２】図２は図１における蓋体を外したときの正面図である。
【図３】図３は図１におけるIII-III 線断面図である。
【図４】図４は有底穴を掘削する際の説明図である。
【図５】図５は使用状態の図である。
【図６】図６は他の使用状態の図である。
【符号の説明】
【００３３】
Ａ  …  墓石用写真表示装置
Ｐ  …  写真  
10  …  墓石  
11  …  戒名等
20  …  有底穴
21  …  高さ調節層
30  …  有底筒
31  …  底部  
32  …  係止周溝
50  …  写真保護ケース（保護ケース）
51  …  外周凸条
60  …  蓋体
61  …  係止溝
62  …  脚部
70  …  枠部材
【図１】
2005344312.tif 000003
【図２】
2005344312.tif 000004
【図３】
2005344312.tif 000005
【図４】
2005344312.tif 000006
【図５】
2005344312.tif 000007
【図６】
2005344312.tif 000008